【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
鳥において所望の反応を誘発するシステムであって、
少なくとも１つの光子放出器と、
前記少なくとも１つの光子放出器と通信する少なくとも１つの光子放出変調コントローラと
を備え、
前記少なくとも１つの光子放出器は前記鳥に対する光子信号を生成するように構成され、前記光子信号は２つ以上の独立成分を含み、前記２つ以上の独立成分には第１独立成分と第２独立成分とが含まれ、
前記第１独立成分は、繰返し第１変調光子パルス群を含み、前記第１変調光子パルス群は、１つ以上の強度による０．０１マイクロ秒〜５０００ミリ秒の１つ以上の光子パルスオン継続時間を有するとともに、０．１マイクロ秒〜２４時間の１つ以上の光子パルスオフ継続時間、及び波長色を有し、
前記第２独立成分は、繰返し第２変調光子パルス群を含み、前記第２変調光子パルス群は、１つ以上の強度による０．０１マイクロ秒〜５０００ミリ秒の１つ以上の光子パルスオン継続時間を有しするとともに、０．１マイクロ秒〜２４時間の１つ以上の第２光子パルスオフ継続時間、及び波長色を有し、
前記第１独立成分及び前記第２独立成分は、同時に前記信号内に生成され、
前記第２変調光子パルス群は、前記第１変調光子パルス群と異なり、
前記信号は、前記少なくとも１つの光子放出器から前記鳥に対して発せられ、前記信号の前記第１変調光子パルス群及び前記第２変調光子パルス群の併用効果により、前記鳥から所望の反応が生じるようになっており、
前記鳥からの前記所望の反応は、排卵、生殖、産卵、空腹感、成長、ストレスの軽減又は鎮静、卵の質の改善、社会順応性、鳥の成長、鳥の発達、性的成熟、生殖の質の改善、栄養素吸収の促進、光化学反応、及び概日リズムの調整から選択される、システム。
【請求項２】
繰返し第３以上の変調光子パルス群を含む第３以上の独立成分をさらに含み、
前記第３以上の変調光子パルス群は、１つ以上の強度による０．０１マイクロ秒〜５０００ミリ秒の１つ以上の光子パルスオン継続時間を有するとともに、０．１マイクロ秒〜２４時間の１つ以上の光子パルスオフ継続時間、及び波長色を有し、
前記第３以上の独立成分、前記第１独立成分、及び前記第２独立成分は、同時に前記信号内に生成され、
前記繰返し第３以上の変調光子パルス群は、前記第２変調光子パルス群及び前記第１変調光子パルス群と異なり、
前記信号は、前記少なくとも１つの光子放出器から前記鳥に対し発せられ、前記信号の前記繰返し第３以上の変調光子パルス群、前記第１変調光子パルス群、及び前記第２変調光子パルス群の併用効果により、前記鳥から所望の反応が生じるようになっている、請求項１に記載のシステム。
【請求項３】
前記第３以上の変調光子パルス群の前記１つ以上の追加光子パルスオフ継続時間はそれぞれ異なる、請求項２に記載のシステム。
【請求項４】
前記第３以上の変調光子パルス群の前記１つ以上の追加光子パルスオン継続時間はそれぞれ異なる、請求項２に記載のシステム。
【請求項５】
前記第３以上の変調光子パルス群の前記成分は、前記鳥からの所望の反応に合わせて特別に調整される、請求項２に記載のシステム。
【請求項６】
前記第３以上の変調光子パルス群の前記各追加波長色は、近赤、遠赤、青、赤外、黄、橙、緑、及び紫外色から成る群から選択される、請求項２に記載のシステム。
【請求項７】
前記第３以上の変調光子パルス群の前記各追加波長色は、０．１ｎｍ〜１ｃｍの波長を有する、請求項２に記載のシステム。
【請求項８】
前記第３以上の変調光子パルス群はさらに、１つ以上の追加強度を含む、請求項２に記載のシステム。
【請求項９】
前記第３以上のパルスの前記１つ以上のオン継続時間は、前記第３以上の光子パルスの前記１つ以上のオフ継続時間と異なる、請求項２に記載のシステム。
【請求項１０】
前記少なくとも１つの光子放出変調コントローラと通信するマスタ論理コントローラをさらに備え、
前記マスタ論理コントローラは、前記少なくとも１つの光子放出器からの前記第１独立成分及び前記第２独立成分の前記変調パルス群を制御する前記少なくとも１つの光子放出変調コントローラに対し、コマンドを送信する、請求項１に記載のシステム。
【請求項１１】
前記少なくとも２つの光子放出デバイスは、白熱光（タングステンハロゲン及びキセノン）、蛍光（ＣＦＬ）、高輝度放電（金属ハライド、高圧ナトリウム、低圧ナトリウム、水銀蒸気）、太陽光、及び発光ダイオードの群から選択される、請求項１０に記載のシステム。
【請求項１２】
前記マスタ論理コントローラは、前記少なくとも２つの光子放出デバイスの電力使用量を監視する電力消費センサと通信し、前記電力消費センサは、前記マスタ論理コントローラの外部に存在するホストと通信する、請求項１０に記載のシステム。
【請求項１３】
前記マスタ論理コントローラは、前記少なくとも１つの光子放出変調コントローラと通信し、前記マスタ論理コントローラは、前記第３以上の変調光子パルス群の前記成分を制御する前記少なくとも１つの光子放出変調コントローラに対し、コマンドを送信することが可能である、請求項１０に記載の前記システム。
【請求項１４】
少なくとも１つのセンサをさらに備え、
前記少なくとも１つのセンサは、前記鳥に関連する少なくとも１つの状態を監視することが可能であり、前記鳥に関連する前記少なくとも１つの状態は、前記鳥に関連する環境状態、または前記鳥に関連する生理的状態であり、
前記少なくとも１つのセンサは、第１通信デバイスと操作可能に連結され、前記第１通信デバイスは、前記少なくとも１つのセンサから前記マスタ論理コントローラへデータを送信する、請求項１０に記載のシステム。
【請求項１５】
前記マスタ論理コントローラは、前記少なくとも１つのセンサからの前記データに基づいて、前記第１変調光子パルス群の１つ以上の強度による前記第１オン継続時間、前記第１オフ継続時間、及び前記第１波長色が、前記第２変調光子パルス群の１つ以上の第２強度による前記第２オン継続時間、前記第２オフ継続時間、及び前記第２波長色と同じになるように調整する、請求項１４に記載のシステム。
【請求項１６】
灌水源と通信する前記マスタ論理コントローラをさらに備えるシステムであって、
前記灌水源は、前記鳥に対し灌水イベントを提供する、請求項１５に記載の前記システム。
【請求項１７】
前記マスタ論理コントローラは、前記少なくとも１つのセンサからの前記データに基づいて、前記鳥に対する灌水イベントのタイミングを調整することが可能である、請求項１５に記載のシステム。
【請求項１８】
前記マスタ論理コントローラは、前記少なくとも１つのセンサからの前記データに基づいて、前記鳥に対する灌水イベントの継続時間を調整することが可能である、請求項１７に記載のシステム。
【請求項１９】
栄養供給源と通信する前記マスタ論理コントローラをさらに備え、
前記栄養供給源は、前記鳥に対し栄養供給イベントを提供することが可能である、請求項１４に記載の前記システム。
【請求項２０】
前記マスタ論理コントローラは、前記少なくとも１つのセンサからの前記データに基づいて、前記鳥に対する栄養供給イベントのタイミングを調整することが可能である、請求項１９に記載のシステム。
【請求項２１】
前記マスタ論理コントローラは、前記少なくとも１つのセンサからの前記データに基づいて、前記鳥に対する栄養供給イベントの継続時間を調整することが可能である、請求項１９に記載のシステム。
【請求項２２】
前記少なくとも１つのセンサは、気温センサ、湿度センサ、鳥の体温センサ、鳥の体重センサ、音センサ、動きセンサ、赤外線センサ、Ｏ２センサ、ＣＯ２センサ、及びＣＯセンサ、ならびにこれらの組み合わせを含む群から選択される、請求項１４に記載のシステム。
【請求項２３】
前記少なくとも１つの光子放出変調コントローラは、ソリッドステートリレー、金属酸化物半導体型電界効果トランジスタ、電界効果トランジスタ、ツェナーダイオード、光チョッパ、及び光子パルスの変調を誘発するデバイスを含む群から選択される、請求項１に記載のシステム。
【請求項２４】
前記第１変調光子パルスの前記第１波長帯の前記第１波長色は、近赤、遠赤、青、赤外、黄、橙、及び紫外色を含む群から選択される、請求項１に記載のシステム。
【請求項２５】
前記第２変調光子パルスの前記第２波長帯の前記第２波長色は、近赤、遠赤、青、赤外、黄、橙、及び紫外色を含む群から選択される、請求項１に記載のシステム。
【請求項２６】
前記第１変調光子パルス群の前記第１波長色は、０．１ｎｍ〜１ｃｍの波長を有する、請求項１に記載のシステム。
【請求項２７】
前記第２変調光子パルス群の前記第２波長色は、０．１ｎｍ〜１ｃｍの波長を有する、請求項１に記載のシステム。
【請求項２８】
前記第１変調光子パルス群の１つ以上の強度による前記第１オン継続時間、前記第１オフ継続時間、及び前記第１波長色は、前記第２変調光子パルス群の１つ以上の第２強度による前記第２オン継続時間、前記第２オフ継続時間、及び前記第２波長色と同じである、請求項１に記載のシステム。
【請求項２９】
前記鳥は、ニワトリ、アヒル、及び他の水鳥、シチメンチョウ、エミュー、ダチョウ、ウズラ、キジ、高地猟鳥、ハト、オウム、ならびに動物界及びその組織内の他の鳥類を含む群から選択される、請求項１に記載のシステム。
【請求項３０】
前記第１変調光子パルス群は、少なくとも５％の光量子の変化を有する、請求項１に記載のシステム。
【請求項３１】
前記第２変調光子パルス群は、少なくとも５％の光量子の変化を有する、請求項１に記載のシステム。
【請求項３２】
前記第１変調光子パルス群及び前記第２変調光子パルス群のデューティサイクルは、０．１％〜９３％に及ぶ、請求項１に記載のシステム。
【請求項３３】
前記第３以上の変調光子パルス群のデューティサイクルは、０．１％〜９３％に及ぶ、請求項１に記載のシステム。
【請求項３４】
前記鳥における前記所望の反応は、前記鳥の視床下部内のオプシンによりもたらされる反応である、請求項１に記載のシステム。
【請求項３５】
全ての付加的または補足的な外光は、前記鳥から遮られる、請求項１に記載のシステム。
【請求項３６】
前記信号の前記放出は、光子の補足的供給源である、請求項１に記載のシステム。
【請求項３７】
前記反応は、成育、手当て、及び屠畜から選択される非自然に活性化された反応である、請求項１に記載のシステム。
【請求項３８】
前記第１変調光子パルス群の１つ以上の第１強度による前記第１光子パルスオン継続時間、前記第１光子パルスオフ継続時間、及び前記第１波長帯は、前記鳥からの所望の反応に合わせて特別に調整される、請求項１に記載のシステム。
【請求項３９】
前記第２変調光子パルス群の１つ以上の第２強度による前記第２光子パルスオン継続時間、前記第２光子パルスオフ継続時間、及び前記第２波長帯は、前記鳥からの所望の反応に合わせて特別に調整される、請求項１に記載のシステム。
【請求項４０】
前記システムは、鳥において所望の反応を誘発するために使用する電力を、６０ワットの育成光と比べて少なくとも５０％削減する、請求項１に記載のシステム。
【請求項４１】
前記第１変調光子パルス群の前記１つ以上の第１光子パルスオフ継続時間はそれぞれ、異なる継続時間である、請求項１に記載のシステム。
【請求項４２】
前記第２変調光子パルス群の前記１つ以上の第２光子パルスオフ継続時間はそれぞれ、異なる継続時間である、請求項１に記載のシステム。
【請求項４３】
前記第１変調光子パルス群の前記１つ以上の第１光子パルスオン継続時間はそれぞれ、異なる継続時間である、請求項１に記載のシステム。
【請求項４４】
前記第２変調光子パルス群の前記１つ以上の第２光子パルスオン継続時間はそれぞれ、異なる継続時間である、請求項１に記載のシステム。
【請求項４５】
前記第１パルスの前記１つ以上のオン継続時間は、前記第１光子パルスの前記１つ以上のオフ継続時間と異なる、請求項１に記載のシステム。
【請求項４６】
前記第２パルスの前記１つ以上のオン継続時間は、前記第２光子パルスの前記１つ以上のオフ継続時間と異なる、請求項１に記載のシステム。
【請求項４７】
前記第１光子パルスの前記継続時間、前記強度、前記波長帯、及び前記デューティサイクル、ならびに前記少なくとも１つの追加光子パルスの前記継続時間、前記強度、前記波長帯、及び前記デューティサイクルは、１を超える利得効率を誘発する、請求項１に記載のシステム。
【請求項４８】
鳥において所望の反応を誘発する方法であって、
少なくとも１つの光子放出器を提供することと、
前記少なくとも１つの光子放出器と通信する少なくとも１つの光子放出変調コントローラを提供することと、
前記少なくとも１つの光子放出変調コントローラから前記少なくとも１つの光子放出器へコマンドを通信することと、
光子信号を前記鳥に与えることであって、
前記光子信号は２つ以上の独立成分を含み、前記２つ以上の独立成分には第１独立成分と第２独立成分とが含まれ、
前記第１独立成分は、繰返し第１変調光子パルス群を含み、前記第１変調光子パルス群は、１つ以上の強度による０．０１マイクロ秒〜５０００ミリ秒の１つ以上の光子パルスオン継続時間を有するとともに、０．１マイクロ秒〜２４時間の１つ以上の光子パルスオフ継続時間、及び波長色を有し、
前記第２独立成分は、繰返し第２変調光子パルス群を含み、前記第２変調光子パルス群は、１つ以上の強度による０．０１マイクロ秒〜５０００ミリ秒の１つ以上の光子パルスオン継続時間を有するとともに、０．１マイクロ秒〜２４時間の１つ以上の第２光子パルスオフ継続時間、及び波長色を有し、
前記第１独立成分及び前記第２独立成分は、同時に前記信号内に生成され、
前記第２変調光子パルス群は、前記第１変調光子パルス群と異なる、
前記光子信号を前記鳥に与えることと、
前記少なくとも１つの光子放出器から前記鳥に対し前記信号を発することであって、
前記信号の前記第１変調光子パルス群及び前記第２変調光子パルス群の併用効果により、前記鳥から所望の反応が生じる、
前記少なくとも１つの光子放出器から前記鳥に対し前記信号を発することと
を含み、
前記鳥からの前記所望の反応は、排卵、生殖、産卵、空腹感、成長、ストレスの軽減又は鎮静、卵の質の改善、社会順応性、鳥の成長、鳥の発達、性的成熟、生殖の質の改善、栄養素吸収の促進、光化学反応、及び概日リズムの調整から選択される、方法。
【請求項４９】
繰返し第３以上の変調光子パルス群を含む第３以上の独立成分をさらに含む、前記方法であって、
前記第３以上の変調光子パルス群は、１つ以上の強度による０．０１マイクロ秒〜５０００ミリ秒の１つ以上の光子パルスオン継続時間を有するとともに、０．１マイクロ秒〜２４時間の１つ以上の光子パルスオフ継続時間、及び波長色を有し、
前記第３以上の独立成分、前記第１独立成分、及び前記第２独立成分は、同時に前記信号内に生成され、
前記繰返し第３以上の変調光子パルス群は、前記第２変調光子パルス群及び前記第１変調光子パルス群と異なり、
前記方法は、前記少なくとも１つの光子放出器から前記鳥に対し前記信号を発することを含み、
前記信号の前記繰返し第３以上の変調光子パルス群、前記第１変調光子パルス群、及び前記第２変調光子パルス群の併用効果により、前記鳥から所望の反応が生じる、請求項４８に記載の方法。
【請求項５０】
前記第３以上の変調光子パルス群の前記１つ以上の追加光子パルスオフ継続時間はそれぞれ異なる、請求項４９に記載の方法。
【請求項５１】
前記第３以上の変調光子パルス群の前記１つ以上の追加光子パルスオン継続時間はそれぞれ異なる、請求項４９に記載のシステム。
【請求項５２】
前記少なくとも１つの光子放出変調コントローラと通信するマスタ論理コントローラを提供することをさらに含み、
前記マスタ論理コントローラは、前記第３以上の独立成分の前記変調光子パルス群を制御する前記少なくとも１つの光子放出変調コントローラに対し、コマンドを送信する、請求項４９に記載の方法。
【請求項５３】
前記第３以上の変調光子パルス群の前記成分は、前記鳥からの所望の反応に合わせて特別に調整される、請求項４９に記載の方法。
【請求項５４】
前記第３以上の変調光子パルス群の前記波長色は、近赤、遠赤、青、赤外、黄、橙、緑、及び紫外色から成る群から選択される、請求項４９に記載の方法。
【請求項５５】
前記第３以上の変調光子パルス群の前記波長色は、０．１ｎｍ〜１ｃｍの波長を有する、請求項４９に記載の方法。
【請求項５６】
前記第３以上の変調光子パルス群はさらに、１つ以上の追加強度を含む、請求項４９に記載の方法。
【請求項５７】
前記第３以上のパルスの前記オン継続時間は、前記第３以上の光子パルスの前記オフ継続時間と異なる、請求項４９に記載の方法
【請求項５８】
前記第３変調光子パルス群は、少なくとも５％の光量子の変化を有する、請求項４９に記載の方法。
【請求項５９】
前記少なくとも１つの光子放出変調コントローラと通信するマスタ論理コントローラを提供することをさらに含み、
前記マスタ論理コントローラは、前記少なくとも１つの光子放出器からの前記第１独立成分及び前記第２独立成分の前記変調パルス群を制御する前記少なくとも１つの光子放出変調コントローラに対し、コマンドを送信する、請求項４８に記載の方法。
【請求項６０】
前記少なくとも１つの光子放出器は、白熱光（タングステンハロゲン及びキセノン）、蛍光（ＣＦＬ）、高輝度放電（金属ハライド、高圧ナトリウム、低圧ナトリウム、水銀蒸気）、及び発光ダイオードから成る群から選択される、請求項４８に記載の方法。
【請求項６１】
前記少なくとも１つの光子放出変調コントローラは、ソリッドステートリレー、金属酸化物半導体型電界効果トランジスタ、電界効果トランジスタ、ツェナーダイオード、光チョッパ、及び前記第１変調光子パルス群及び前記第２変調光子パルス群の変調を誘発するデバイスから成る群から選択される、請求項４８に記載の方法。
【請求項６２】
前記第１変調光子パルス群の前記波長色、及び前記第２変調光子パルス群の前記波長色は、近赤、遠赤、青、赤外、黄、橙、緑、及び紫外色から成る群から選択される、請求項４８に記載の方法。
【請求項６３】
前記第１変調光子パルス群の前記波長色、及び前記第２変調光子パルス群の前記波長色は、０．１ｎｍ〜１ｃｍの波長を有する、請求項４８に記載の方法。
【請求項６４】
前記鳥は、ニワトリ、ウズラ、シチメンチョウ、水鳥、ダチョウ、エミュー、キジ、猟鳥、コバト、ハト、及びライチョウ、ならびにこれらの組織を含む群から選択される、請求項４８に記載の方法。
【請求項６５】
前記鳥における前記所望の反応は、前記鳥の視床下部内のオプシンによりもたらされる反応である、請求項４８に記載の方法。
【請求項６６】
前記鳥からの前記所望の反応は、排卵、産卵、空腹感、成長、及び気分から選択される、請求項４８に記載の方法。
【請求項６７】
前記第１変調光子パルス群及び前記第２変調光子パルス群はそれぞれ、少なくとも５％の光量子の変化を有する、請求項４８に記載の方法。
【請求項６８】
前記第１変調光子パルス群及び前記第２変調光子パルス群のデューティサイクルは、０．１％〜９３％に及ぶ、請求項４８に記載の方法。
【請求項６９】
前記第１変調光子パルス群及び前記第２変調光子パルス群はそれぞれ、前記鳥からの所望の反応に合わせて特別に調整される、請求項４８に記載の方法。
【請求項７０】
前記方法は、鳥において所望の反応を誘発するために使用する電力を、従来の育成システムと比べて少なくとも５０％削減する、請求項４８に記載の方法。
【請求項７１】
前記第１変調光子パルス群の前記１つ以上の第１光子パルスオフ継続時間はそれぞれ、異なる継続時間である、請求項４８に記載の方法。
【請求項７２】
前記第２変調光子パルス群の前記１つ以上の第２光子パルスオフ継続時間はそれぞれ、異なる継続時間である、請求項４８に記載の方法。
【請求項７３】
前記第１変調光子パルス群の前記１つ以上の光子パルスオン継続時間はそれぞれ、異なる継続時間である、請求項４８に記載の方法。
【請求項７４】
前記第２変調光子パルス群の前記１つ以上の光子パルスオン継続時間はそれぞれ、異なる継続時間である、請求項４８に記載の方法。
【請求項７５】
前記第１パルスの前記オン継続時間は、前記第１光子パルスの前記オフ継続時間と異なる、請求項４８に記載の方法。
【請求項７６】
前記第２パルスの前記オン継続時間は、前記第２光子パルスの前記オフ継続時間と異なる、請求項４８に記載の方法。
【請求項７７】
鳥において所望の反応を誘発する方法であって、
少なくとも１つの光子放出器を提供することと、
前記少なくとも１つの光子放出器と通信する少なくとも１つの光子放出変調コントローラを提供することと、
前記少なくとも１つの光子放出変調コントローラから前記少なくとも１つの光子放出器へコマンドを通信することと、
光子信号を前記鳥に与えることであって、
前記光子信号は２つ以上の独立成分を含み、前記２つ以上の独立成分には第１独立成分と第２独立成分とが含まれ、
前記第１独立成分は、繰返し第１変調光子パルス群を含み、前記第１変調光子パルス群は、１つ以上の強度による０．０１マイクロ秒〜５０００ミリ秒の１つ以上の光子パルスオン継続時間を有するともに、０．１マイクロ秒〜２４時間の１つ以上の光子パルスオフ継続時間、及び波長色を有し、
前記第２独立成分は、繰返し第２変調光子パルス群を含み、前記第２変調光子パルス群は、１つ以上の強度による０．０１マイクロ秒〜５０００ミリ秒の１つ以上の光子パルスオン継続時間を有するとともに、０．１マイクロ秒〜２４時間の１つ以上の第２光子パルスオフ継続時間、及び波長色を有し、
前記第１独立成分及び前記第２独立成分は、同時に前記信号内に生成され、
前記第２変調光子パルス群は、前記第１変調光子パルス群と同じである、
前記光子信号を前記鳥に与えることと、
前記少なくとも１つの光子放出器から前記鳥に対し前記信号を発することであって、
前記信号の前記第１変調光子パルス群及び前記第２変調光子パルス群の併用効果により、前記鳥から所望の反応が生じる、
前記少なくとも１つの光子放出器から前記鳥に対し前記信号を発することと
を含み、
前記鳥からの前記所望の反応は、排卵、生殖、産卵、空腹感、成長、ストレスの軽減又は鎮静、卵の質の改善、社会順応性、鳥の成長、鳥の発達、性的成熟、生殖の質の改善、栄養素吸収の促進、光化学反応、及び概日リズムの調整から選択される、方法。